(57)【特許請求の範囲】
【請求項１】
筒状のケース（１）と、該ケース（１）の一端開口を塞ぐ閉塞体（２）とを備え、閉塞体（２）に、内外貫通状の排気孔（３）を設け、安定器本体（５）の鉄心（６）が閉塞体（２）の排気孔（３）に対向するように、ケース（１）内に安定器本体（５）を収納し、安定器本体（５）とケース（１）との間を充填するようにケース（１）内に珪砂（９）を入れた後に、前記排気孔（３）からケース（１）内の空気を抜きながら樹脂充填剤（１０）をケース（１）内に注入した放電灯安定器において、
安定器本体（５）の鉄心（６）と排気孔（３）の内側開口縁部との間に珪砂（９）が侵入不能な隙間（１７）を形成するように、閉塞体（２）側に、安定器本体（５）の鉄心（６）に接当する突起（１６）を設けていることを特徴とする放電灯安定器。
【請求項２】
筒状のケース（１）と、該ケース（１）の一端開口を塞ぐ閉塞体（２）とを備え、閉塞体（２）に、内外貫通状の排気孔（３）を設け、安定器本体（５）の鉄心（６）が閉塞体（２）の排気孔（３）に対向するように、ケース（１）内に安定器本体（５）を収納し、安定器本体（５）とケース（１）との間を充填するようにケース（１）内に珪砂（９）を入れた後に、前記排気孔（３）からケース（１）内の空気を抜きながら樹脂充填剤（１０）をケース（１）内に注入した放電灯安定器において、
閉塞体（２）の内面側に、前記排気孔（２）を有する突出体（１５）を内方突設し、安定器本体（５）の鉄心（６）と排気孔（３）の内側開口縁部との間に珪砂（９）が侵入不能な隙間（１７）を形成するように、突出体（１５）の内端側に、安定器本体（５）の鉄心（６）に接当する一対の突起（１６）を設けていることを特徴とする放電灯安定器。
【請求項３】
筒状のケース（１）と、該ケース（１）の一端開口を塞ぐ閉塞体（２）とを備え、閉塞体（２）に、内外貫通状の排気孔（３）を設け、安定器本体（５）の鉄心（６）が閉塞体（２）の排気孔（３）の内側開口縁部に当接するように、ケース（１）内に安定器本体（５）を収納し、安定器本体（５）とケース（１）との間を充填するようにケース（１）内に珪砂（９）を入れた後に、前記排気孔（３）からケース（１）内の空気を抜きながら樹脂充填剤（１０）をケース（１）内に注入した放電灯安定器において、
閉塞体（２）のケース（１）内側に、前記排気孔（３）を有する内筒体（２３）を設けると共に、内筒体（２３）の外周を取り囲むように外筒体（２４）を設け、内筒体（２３）と外筒体（２４）との間に、珪砂（９）や樹脂充填剤（１０）を溜めるための凹部（２５）を設け、内筒体（２３）の内側開口縁部が安定器本体（５）の鉄心（６）から離間するように、前記外筒体（２４）を内筒体（２３）よりも大きく内方突出し、安定器本体（５）の鉄心（６）と外筒体（２４）の内側開口縁部との間に珪砂（９）が侵入不能な隙間（１７）を形成するように、外筒体（２４）の内側開口縁部に、安定器本体（５）の鉄心（６）に接当する突起（１６）を設けていることを特徴とする放電灯安定器。
【発明の詳細な説明】
【０００１】
【産業上の利用分野】
本発明は、安定器本体をケース内に収納するようにした放電灯安定器に関する。
【０００２】
【従来の技術】
安定器本体をケース内に収納するようにした放電灯安定器には、安定器動作時の温度、騒音の低下を目的として、安定器本体とケースとの間を充填するようにケース内に充填剤を入れるようにしたものがある。この種の従来の放電灯安定器では、一般に珪砂と樹脂充填剤とを攪拌したものをケース上部から注入していたが、これを改良して珪砂と樹脂充填剤とを別々にケース内に注入するようにしたものがある。
【０００３】
図１１〜図１５はこの種の従来の放電灯安定器を示している。同図に示すように、放電灯安定器は、筒状のケース５１と、該ケース５１の一端開口を塞ぐ閉塞体５２とを備え、閉塞体５２に、内外貫通状の排気孔５３を設け、安定器本体５４の鉄心５５が閉塞体５２の排気孔５３の内側開口縁部に当接するように、ケース５１内に安定器本体５４を収納している。そして、閉塞体５２の内面側に、前記排気孔５３につながる排気溝５６を凹凸状に形成し、これにより排気孔５３が鉄心５５によって塞がれないようにして、排気孔５３からケース５１内の空気を抜くことができるように構成していた。
【０００４】
この放電灯安定器の場合、ケース５１内に珪砂と樹脂充填剤とを注入するには、まず、安定器本体５４とケース５１との間を充填するようにケース５１内に珪砂を入れて、ケース５１を揺らし、ケース５１内に珪砂が行き渡るようにする。次に前記排気孔５３からケース５１内の空気を抜きながら樹脂充填剤をケース５１内に注入する。
【０００５】
【発明が解決しようとする課題】
しかし、従来の場合、排気溝５６の大きさが珪砂より大きいため、ケース５１を揺らしたときに珪砂が排気孔５３から外部に漏れ出たり、充填剤（樹脂充填剤・珪砂）が排気溝５６に詰まったり、また、排気孔５３からケース５１内の空気を抜く際に樹脂充填剤も排気孔５３からケースの外に吸い出されたりするといった問題があった。
【０００６】
本発明は上記問題点に鑑み、珪砂及び樹脂充填剤をケース内に注入する際に、珪砂が排気孔から漏れ出たり、充填材（樹脂充填剤・珪砂）が排気用隙間に詰まったり、排気孔から樹脂充填剤がケースの外に吸い出されたりすることがないようにしたものである。
【０００７】
【課題を解決するための手段】
この技術的課題を解決する本発明の第一の技術的手段は、筒状のケース１と、該ケース１の一端開口を塞ぐ閉塞体２とを備え、閉塞体２に、内外貫通状の排気孔３を設け、安定器本体５の鉄心６が閉塞体２の排気孔３に対向するように、ケース１内に安定器本体５を収納し、安定器本体５とケース１との間を充填するようにケース１内に珪砂９を入れた後に、前記排気孔３からケース１内の空気を抜きながら樹脂充填剤１０をケース１内に注入した放電灯安定器において、
安定器本体５の鉄心６と排気孔３の内側開口縁部との間に珪砂９が侵入不能な隙間１７を形成するように、閉塞体２側に、安定器本体５の鉄心６に接当する突起１６を設けている点にある。
【０００８】
本発明の第二の技術的手段は、筒状のケース１と、該ケース１の一端開口を塞ぐ閉塞体２とを備え、閉塞体２に、内外貫通状の排気孔３を設け、安定器本体５の鉄心６が閉塞体２の排気孔３に対向するように、ケース１内に安定器本体５を収納し、安定器本体５とケース１との間を充填するようにケース１内に珪砂９を入れた後に、前記排気孔３からケース１内の空気を抜きながら樹脂充填剤１０をケース１内に注入した放電灯安定器において、
閉塞体２の内面側に、前記排気孔２を有する突出体１５を内方突設し、安定器本体５の鉄心６と排気孔３の内側開口縁部との間に珪砂９が侵入不能な隙間１７を形成するように、突出体１５の内端側に、安定器本体５の鉄心６に接当する一対の突起１６を設けている点にある。
【０００９】
本発明の第三の技術的手段は、筒状のケース１と、該ケース１の一端開口を塞ぐ閉塞体２とを備え、閉塞体２に、内外貫通状の排気孔３を設け、安定器本体５の鉄心６が閉塞体２の排気孔３の内側開口縁部に当接するように、ケース１内に安定器本体５を収納し、安定器本体５とケース１との間を充填するようにケース１内に珪砂９を入れた後に、前記排気孔３からケース１内の空気を抜きながら樹脂充填剤１０をケース１内に注入した放電灯安定器において、
閉塞体２のケース１内側に、前記排気孔３を有する内筒体２３を設けると共に、内筒体２３の外周を取り囲むように外筒体２４を設け、内筒体２３と外筒体２４との間に、珪砂９や樹脂充填剤１０を溜めるための凹部２５を設け、内筒体２３の内側開口縁部が安定器本体５の鉄心６から離間するように、前記外筒体２４を内筒体２３よりも大きく内方突出し、安定器本体５の鉄心６と外筒体２４の内側開口縁部との間に珪砂９が侵入不能な隙間１７を形成するように、外筒体２４の内側開口縁部に、安定器本体５の鉄心６に接当する突起１６を設けている点にある。
【００１０】
【作用】
鉄心６に接当する突起１６によって、安定器本体５の鉄心６と排気孔３の内側開口縁部との間に珪砂９が侵入不能な０．３ｍｍ程度の隙間１７が形成されるため、珪砂注入時にケース１の底まで珪砂９を行き渡らせるためにケース１を揺らしても、排気孔３に珪砂９が落ち込まなくなる。また、樹脂充填剤１０の注入時にケース１内の空気を排気孔３から吸い出すが、この際に排気孔３から樹脂充填剤１０を空気と一緒に吸い出すこともなくなる。
【００１１】
また、内筒体２３と外筒体２４との間に凹部２５があると、樹脂充填剤１０を注入する際に、排気孔３から樹脂充填剤１０を空気と一緒に吸い出されようとする珪砂９や樹脂充填剤１０を凹部２５に溜めることができ、排気孔３から珪砂９や樹脂充填剤１０が吸い出されることをより確実に防止する。
また、隙間１７の幅Ｌを十分に広く形成できるため、珪砂９や樹脂充填剤１０が隙間１７に詰まったりすることもなくなり、ケース１内への珪砂９及び樹脂充填剤１０の注入時の時間のばらつきもなくなる。
【００１２】
【実施例】
以下、本発明を図示の実施例に従って説明する。
図１〜図４において、１は筒状のケースで、鉄板等により角筒状に形成されている。２は閉塞体で、ケース１の一端開口を塞ぐようにケース１の一端側に嵌合されている。閉塞体２に、内外貫通状の排気孔３が設けられている。
【００１３】
５は安定器本体で、鉄心６とコイル７，８とを備える。安定器本体５の鉄心６が閉塞体２の排気孔３に対向するように、安定器本体５はケース１内に収納されている。ケース１内に珪砂９と樹脂充填剤１０とが注入され、これら珪砂９及び樹脂充填剤１０は安定器本体５とケース１との間を充填している。
前記閉塞体２の外面側に前記排気孔３を有する筒体１３が外方突設されている。また閉塞体２に、角筒状の外周壁１４が内方突設されると共に、閉塞体２の内面側に前記排気孔３を有する角柱状の突出体１５が内方突設されている。外周壁１４と突出体１５との内方突出寸法は同一とされ、突出体１５の内端面は外周壁１５の内端縁と面一に形成されている。突出体１５の内端側の幅方向の両端縁に、排気孔３を挟むように一対の突起１６が内方突出されている。この突起１６は高さが０．３ｍｍ程度であって、該突起１６が安定器本体５の鉄心６に接当することにより、安定器本体５の鉄心６と排気孔３の内側開口縁部との間に珪砂９が侵入不能な隙間１７を形成している。
【００１４】
なお、閉塞体２に端子取付部２１が一体に設けられ、この端子取付部２１に安定器本体５の端子を嵌合保持させることにより、閉塞体２と安定器本体５とが互いに連結固定されている。
次に、ケース１内への珪砂９及び樹脂充填剤１０の注入作業を説明する。まず、図５（ａ）に示すように安定器本体５とケース１との間を充填するようにケース１内に珪砂９を入れ、その後図５（ｂ）に示すようにケース１を揺らして、ケース１内に珪砂９が行き渡るようにする。次に、図５（ｃ）に示すように前記排気孔３からケース１内の空気を抜きながら樹脂充填剤１０をケース１内に注入する。
【００１５】
上記実施例の構成によれば、例えば珪砂９として下表のような内訳の５号珪砂をケース内に注入した後に、樹脂充填剤１０した場合、珪砂注入時にケース１の底まで珪砂９を行き渡らせるためにケース１を揺らすが、安定器本体５の鉄心６と排気孔３の内側開口縁部との間の隙間１７の幅Ｌが広くなると共に、隙間１７の寸法が０．３ｍｍ程度になり、排気孔３に珪砂９が落ち込まなくなった。また、樹脂充填剤１０の注入時にケース１内の空気を排気孔３から吸い出すが、この際の排気孔３からの樹脂充填剤１０の吸い出しが少なくなった。
【００１６】
【表１】
0003547185.tif 000002
【００１７】
図６〜図１０は他の実施例を示し、閉塞体２の内面側に排気孔３を有する円筒状の内筒体２３が内方突設されると共に、内筒体２３の外周を取り囲むように角筒状の外筒体２４が設けられて、内筒体２３と外筒体２４との間に、珪砂９や樹脂充填剤１０を溜めるための凹部２５が形成されている。内筒体２３の内側開口縁部が安定器本体５の鉄心６から離間するように、外筒体２４が内筒体２３よりも大きく内方突出され、外筒体２４の内端側の幅方向の両端縁に一対の突起１６が内方突出されている。この突起１６は高さが０．３ｍｍ程度であって、該突起１６が安定器本体５の鉄心６に接当することにより、安定器本体５の鉄心６と排気孔３の内側開口縁部との間に珪砂９が侵入不能な隙間１７を形成している。その他の点は前記実施例と同様の構成である。
【００１８】
この場合、凹部２５に珪砂９、樹脂充填剤１０が溜まるので、排気孔３から珪砂９や樹脂充填剤１０が吸い出されることがなくなった。また、ケース１内への珪砂９及び樹脂充填剤１０の注入時の時間のばらつきもなくなった。
【００１９】
【発明の効果】
本発明によれば、珪砂９及び樹脂充填剤１０をケース１内に注入する際に、珪砂９が排気孔３から外部に漏れ出たり、樹脂充填剤１０や珪砂９が隙間１７に詰まったり、排気孔３から樹脂充填剤１０がケース１の外に吸い出されたりするのを防ぐことができると共に、ケース１内への珪砂９及び樹脂充填剤１０の注入もスムーズになる。
【図面の簡単な説明】
【図１】本発明の一実施例を示す側断面図である。
【図２】同閉塞体の平面図である。
【図３】同閉塞体の側面図である。
【図４】図２のＡ−Ａ線断面図である。
【図５】珪砂及び樹脂充填剤の注入工程を示す概略図である。
【図６】他の実施例を示す側断面図である。
【図７】同閉塞体の平面図である。
【図８】同閉塞体の側面図である。
【図９】図７のＢ−Ｂ線断面図である。
【図１０】同閉塞体の斜視図である。
【図１１】従来例を示す側断面図である。
【図１２】同閉塞体の平面図である。
【図１３】同閉塞体の側面図である。
【図１４】図１２のＣ−Ｃ線断面図である。
【図１５】同閉塞体の斜視図である。
【符号の説明】
１    ケース
２    閉塞体
３    排気孔
５    安定器本体
６    鉄心
９    珪砂
１０    樹脂充填剤
１５    突出体
１６    突起
１７    隙間
２３    内筒体
２４    外筒体
２５    凹部
【図１】
0003547185.tif 000003
【図２】
0003547185.tif 000004
【図３】
0003547185.tif 000005
【図４】
0003547185.tif 000006
【図５】
0003547185.tif 000007
【図６】
0003547185.tif 000008
【図７】
0003547185.tif 000009
【図８】
0003547185.tif 000010
【図９】
0003547185.tif 000011
【図１０】
0003547185.tif 000012
【図１１】
0003547185.tif 000013
【図１２】
0003547185.tif 000014
【図１３】
0003547185.tif 000015
【図１４】
0003547185.tif 000016
【図１５】
0003547185.tif 000017